【手続補正書】
【提出日】平成18年1月16日(2006.1.16)
【手続補正１】
【補正対象書類名】明細書
【補正対象項目名】全文
【補正方法】変更
【補正の内容】
【書類名】          明細書
【発明の名称】      省エネルギ待機の画像形成装置
【特許請求の範囲】
【請求項１】
画像記録手段，ホストから送信されてくる印刷情報を出力画像データに変換して該画像記録手段に出力する画像処理制御手段，前記画像記録手段および画像処理制御手段に給電するための電源装置、及び、該電源装置から前記画像記録手段の負荷への給電を省エネルギモード／動作モードに切換える手段、を有する省エネルギ待機の画像形成装置において、
前記画像処理制御手段の回路要素への給電ラインを複数の系統に分け、各系統を選択的にＯＮ／ＯＦＦする手段を備えたことを特徴とする、省エネルギ待機の画像形成装置。
【請求項２】
前記ＯＮ／ＯＦＦする手段は前記省エネルギモードのとき、画像処理制御手段の、ＩＥＥＥ１２８４通信インターフェースおよび前記切換える手段に動作モードへの切換えを指示する回路要素への給電系統、をＯＮにする、請求項１記載の省エネルギ待機の画像形成装置。
【請求項３】
前記ＯＮ／ＯＦＦする手段は前記省エネルギモードのとき、画像処理制御手段の、ネットワーク通信インターフェースおよび前記切換える手段に動作モードへの切換えを指示する回路要素への給電系統、をＯＮにする、請求項１記載の省エネルギ待機の画像形成装置。
【請求項４】
前記画像処理制御手段は画像メモリを含み、出力画像データを圧縮して該画像メモリに書込み、該画像メモリから圧縮データを読み出して伸長して前記画像記録手段に出力する、請求項１，請求項２または請求項３記載の画像形成装置。
【請求項５】
画像形成装置は操作パネルを有し、前記ＯＮ／ＯＦＦする手段は、前記省エネルギモードのとき、前記画像処理制御手段の、操作パネルの入力操作を検知する回路要素への給電系統、をＯＮにする、請求項４記載の省エネルギ待機の画像形成装置。
【請求項６】
画像形成装置はスキャナを有し、前記画像処理制御手段は該スキャナの画像データを前記画像メモリに書込み、画像メモリの画像データを前記ホスト又は画像記録手段に出力する、請求項５記載の省エネルギ待機の画像形成装置。
【発明の詳細な説明】
【０００１】
【発明の属する技術分野】
本発明は、プリンタ，ファクシミリ，デジタル複写機，複合機能複写機などの、画像形成装置に関し、特に、画像形成指示を待つ間は、各部電気回路への通電を遮断または節減する省エネルギモード機能を備えた画像形成装置に関する。
【０００２】
【従来技術】
現在、環境問題，国際エネルギースター規格等により、プリンタ等の画像形成装置の省エネルギー化が大きな課題となっている。プリンタ，ファクシミリ，複写機，複合機等の省エネは、画像形成本体の一部への給電をシャットダウンすることで、待機時の消費電力を大きく低減できている。
【０００３】
特開平７−３３６４８６号公報には、パソコンなどの外部装置から与えられる画像情報をビットデータに展開し、これをレーザプリンタに与えるビデオコントローラを備える画像記録装置において、レーザプリンタの定着器への通電停止，冷却ファンの駆動停止及びＭＰＵのクロック停止を選択的に、あるいは組合せて行う省エネモード（スリープ，ストップモード）が開示されている。
【０００４】
【発明が解決しようとする課題】
プリンタ本体での省エネにより、動作指示の到来を待つ省エネ待機状態の電力消費が大幅に低減するが、パソコンなどの外部装置のコマンドを受けて、印刷情報（文章データ：テキストデータおよび画像ビット情報：イメージデータ）すなわち印刷データをプリント出力用の画像データに展開してプリンタに与えるプリンタコントローラにて、かなりの電力が消費される。情報通信に関する情報の内容及び通信形態が多様化し、これに伴ってプリンタコントローラの機能アップが進むに従い、プリンタコントローラでの省エネ待機状態の電力消費が増える。
【０００５】
本発明は、プリンタコントローラの待機機能を損なうことなく画像形成装置の待機時消費電力をさらに低減することを第１の目的とし、プリンタコントローラに機能アップのために回路要素の付加があっても該機能を損なうことなく待機時消費電力の増加は抑制可とすることを第２の目的とする。
【０００６】
【課題を解決するための手段】
（１）画像記録手段(PTR)，ホスト(Pca,FCU)から送信されてくる印刷情報を出力画像データに変換して該画像記録手段(PTR)に出力する画像処理制御手段(20)，前記画像記録手段(PTR)および画像処理制御手段(20)に給電するための電源装置(41)、及び、該電源装置(41)から前記画像記録手段(PTR)の負荷(42)への給電を省エネルギモード／動作モードに切換える手段(43,44)、を有する省エネルギ待機の画像形成装置において、
前記画像処理制御手段(20)の回路要素(21〜30)への給電ラインを複数の系統(PS1〜PS3)に分け、各系統を選択的にＯＮ／ＯＦＦする手段(31,32)を備えたことを特徴とする、省エネルギ待機の画像形成装置。
【０００７】
なお、理解を容易にするためにカッコ内には、図面に示し後述する実施例の、対応要素の符号を、参考までに付記した。以下も同様である。
【０００８】
これによれば、電源装置(41)から画像処理制御手段(20)に供給される電源を複数の系統(PS1〜PS3)に分け、各系統を選択的にＯＮ／ＯＦＦすることにより、画像処理制御手段(20)内部で省エネルギを実現できる。機能アップのための回路要素は、該機能を損なうことがない期間にＯＦＦになる系統に接続することにより、待機時消費電力の増加は抑制できる。
【０００９】
【発明の実施の形態】
（２）前記ＯＮ／ＯＦＦする手段(31,32)は前記省エネルギモードのとき、画像処理制御手段(20)の、ＩＥＥＥ１２８４通信インターフェース(29)および前記切換える手段(43,44)に動作モードへの切換えを指示する回路要素(28)への給電系統(PS3)、をＯＮにする。これによれば、省エネルギモードでも、ＩＥＥＥ１２８４通信インターフェース(29)に着信があると、回路要素(28)が動作モードへの切換えを切換手段(43,44)に指示して、切換手段(43,44)が動作モードに切り替えることができるので、ＩＥＥＥ１２８４通信インターフェース(29)を使用する情報通信が可能である。
【００１０】
（３）前記ＯＮ／ＯＦＦする手段(31,32)は前記省エネルギモードのとき、画像処理制御手段(20)の、ネットワーク通信インターフェース(30)および前記切換える手段(43,44)に動作モードへの切換えを指示する回路要素(28)への給電系統(PS3)、をＯＮにする。これによれば、省エネルギモードでも、ネットワーク通信インターフェース(30)に着信があると、回路要素(28)が動作モードへの切換えを切換手段(43,44)に指示して、切換手段(43,44)が動作モードに切り替えることができるので、ネットワーク通信インターフェース(30)を使用する情報通信が可能である。
【００１１】
（４）前記画像処理制御手段(20)は画像メモリ(24)を含み、出力画像データを圧縮して該画像メモリ(24)に書込み、該画像メモリ(24)から圧縮データを読み出して伸長して前記画像記録手段(PTR)に出力する。これによれば、画像処理制御手段(20)に画像データ蓄積機能があり、画像データを蓄積しつつあるいは蓄積してから、画像記録手段(PTR)を動作モードに切換えて、画像記録手段(PTR)が画像形成レデイになると即座にプリントアウトを開始することができる。これによって、省エネモードから動作モードへの切換え時に、ホスト(PCa,FCU)を格別に待たせることなくホスト(PCa,FCU)から印刷情報を受信することができる。
【００１２】
（５）画像形成装置は操作パネル(OPB)を有し、前記ＯＮ／ＯＦＦする手段(31,32)は、前記省エネルギモードのとき、前記画像処理制御手段(20)の、操作パネル(OPB)の入力操作を検知する回路要素(26)への給電系統(PS3)、をＯＮにする。これによれば、省エネルギモードのときオペレータが操作パネル(OPB)を操作すると、検知回路要素(26)がこれを検知して、操作パネル(OPB)への表示出力給電系統(PS2)をＯＮにして、操作パネル(OPB)とその入力操作を検知する回路要素(26)を、オペレータとの対話入力モードに付勢することができる。
【００１３】
（６）画像形成装置はスキャナ(SCR)を有し、前記画像処理制御手段(20)は該スキャナ(SCR)の画像データを前記画像メモリ(24)に書込み、画像メモリ(24)の画像データを前記ホスト(PCa,FCU)又は画像記録手段(PTR)に出力する。
【００１４】
（７）ホスト装置(PCa,FCU)から送信されてくる画像データをビットマップ変換し画像記録手段(PTR)に出力する画像処理制御手段(20)を有する画像形成装置において、画像処理制御手段内部で、画像記録手段(PTR)から供給される電源(+5VE)を複数の系統(PS1,PS2,PS3)に分け、各系統をＯＮ／ＯＦＦ可能としたことを特徴とする画像形成装置。これによれば、画像処理制御手段内部で、供給電力先を切り替える、又は、ＯＮ／ＯＦＦすることができる。
【００１５】
（８）上記（７）の画像形成装置で、省エネモード時に、ＩＥＥＥ１２８４−Ｉ／Ｆ部(29)と省エネモード解除信号生成／送信部(28)の系統(PS3)に電源を供給することを特徴とする画像形成装置。ＩＥＥＥ１２８４インタフェースを採用しているシステムでの、待機消費電力をより低減できる。
【００１６】
（９）上記（７）の画像形成装置で、省エネモード時に、ネットワークＩ／Ｆ部(30)と省エネモード解除信号生成／送信部(28)の系統(PS3)に電源を供給することを特徴とする画像形成装置。これによれば、ネットワークインタフェース(30)を採用しているシステムでの、待機消費電力をより低減できる。
【００１７】
本発明の他の目的および特徴は図面を参照した以下の実施例の説明により明らかになろう。
【００１８】
【実施例】
図１の（ａ）に、本発明の一実施例の概要を示す。そこに示すものは、カラープリンタＰＴＲに画像スキャナＳＣＲ，自動原稿供給装置ＡＤＦ，ソータ１１及びその他を組付けた画像形成装置であり、パーソナルコンピュータ（以下ＰＣと表現）等のホストＰＣａから、ＬＡＮ又はパラレルＩ／ＦあるいはＩＥＥＥ１２８４−Ｉ／Ｆを通じて、画像情報である印刷デ−タが与えられるとそれをプリントアウト（画像出力）できるシステム構成である。図１の（ａ）に示す画像形成装置は複合機能があるデジタルカラー複写機であり、それ自身で、原稿のコピーを生成することもできる。該複写機は、構内交換器ＰＢＸを介して公衆電話網に接続され、公衆電話網を介して、遠隔のファクシミリと交信することができる。
【００１９】
図１の（ｂ）に、図１の（ａ）に示すデジタルカラー複写機の一部をなす、画像記録手段であるプリンタＰＴＲの機構概要を示す。この実施例のプリンタＰＴＲは、電子写真方式のレ−ザ走査型のカラ−プリンタであり、プリンタ機構，給紙装置（バンク），両面給紙装置，及び後処理装置（ソータ）１１によって構成されている。プリンタ機構ＰＴＲのレ−ザ走査器３には、Ｂｋ（黒），Ｙ（イエロ−），Ｍ（マゼンタ），Ｃ（シア）の各色の成分に分解された画像データが、各色単位で与えられる。各色単位が１画像形成単位である。
【００２０】
単色記録のときには、上記４色の内の一色の画像データがレーザ走査器３に与えられる。感光体１は定速度で回転駆動され、メインチャ−ジャ２にて荷電され帯電位はクエンチングランプＱＬで適正電位に調整される。そして帯電面に、レーザ走査器３が画像デ−タで変調したレ−ザを走査投射する。これにより、画像デ−タに対応する静電潜像が感光体１に形成される。この静電潜像が、回転位置決め方式の現像装置４の、画像形成指定色（例えばＢｋ）に対応する色の現像トナ−を有する現像器（Ｂｋ）にて現像されて顕像すなわちトナ−像となる。トナ−像は、転写チャ−ジャ５にて転写ベルト６に転写され、そして、転写分離チャ−ジャ８にて、レジストロ−ラ７で送り込まれる転写紙に転写され、トナ−像を担持する転写紙は、搬送ベルト９で定着器１０に送り込まれる。
【００２１】
定着器１０は加熱，加圧により転写紙上のトナ−像を転写紙に固定する。定着を終えた転写紙は、ソ−タ１１に排出される。トナ−像の転写を終えた感光体面はクリ−ニング装置１２でクリ−ニングされる。転写ベルト６の転写を終えた面はクリーニングブレード１３で拭われる。１４は、Ｐセンサと呼ばれる、感光体面上のトナ−濃度を検出する反射型の光センサ、１５は転写ベルト６の基準位置を示すマークを検出する反射型の光センサ、１６は定着ロ−ラの温度を検出する温度センサである。
【００２２】
２色以上のカラ−重ね記録（最も代表的なものはフルカラ−記録）のときには、上述の、感光体１上へのトナ−像の形成と転写ベルト６への転写が、各色分繰返えされて転写ベルト６上において各色トナ−像が重ねて転写され、所要色分の重ね転写を終えてから、転写紙に転写される。
【００２３】
図２に、図１に示す画像形成装置の電気システムの概要を示す。画像処理制御手段であるプリンタコントローラ２０には、カラープリンタＰＴＲ，オペレータに対する表示とオペレータからの機能設定入力制御を行う操作パネルＯＰＢ、スキャナＳＣＲおよび自動原稿供給装置ＡＤＦ、ファクシミリユニットＦＣＵならびにパソコンＰＣａが接続したネットワークＬＡＮが接続されている。
【００２４】
なお、図２においては、図１に示すプリンタＰＴＲの、画像形成プロセスの進行のために給電が必要な要素を一括してエンジン負荷４２として示し、画像形成プロセスの制御その他プリンタ内の制御をする装置をエンジンコントローラ４３として示した。
【００２５】
プリンタコントローラ２０は、メインプロセッサであるＣＰＵ２１，システムバス制御及び画像処理等を行うＡＳＩＣ(Application Specific IC)２２，プログラムが格納されているＣＯＤＥＲＯＭ２３，ページメモリ又はワーク用のリード／ライトが可能なＤＲＡＭ（画像メモリ）２４，電源ＯＦＦ時にもデータの保持が可能なＮＶＲＡＭ２５，操作パネルＯＰＢをコントロール／通信する操作パネルＩ／Ｆ２６，スキャナＩ／Ｆ２７，エンジンコントローラ４３との通信及び画像データの送信を行うエンジンＩ／Ｆ２８，ＩＥＥＥ１２８４準拠の通信が可能なＩＥＥＥ１２８４−Ｉ／Ｆ２９およびネットワーク通信を可能とするネットワークＩ／Ｆ３０から構成される。
【００２６】
プリンタコントローラ２０は、外部（ホストＰＣａ，ＦＣＵ）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをネットワークＩ／ＦあるいはＩＥＥＥ１２８４−Ｉ／Ｆを通じて受信し動作する。また、これらならびにプリンタコントーラ２０を介して、機内で保持又は生成する、印刷データ，原稿読取りデータ，これらを出力用に処理した出力画像データ、および、それらを圧縮した圧縮データ、をホストＰＣａ，ＦＣＵに転送することができる。
【００２７】
原稿スキャナＳＣＲは、原稿の表面に対するランプ照射の反射光をミラー及びレンズにより受光素子に集光する。受光素子（本実施例ではＣＣＤ）は、スキャナＳＣＲ内のセンサー・ボード・ユニット（以下単にＳＢＵと称す）にあり、ＣＣＤに於いて電気信号に変換された画像信号は、ＳＢＵ上でデジタル信号すなわち読取った画像デ−タに変換された後、プリンタコントーラ２０に出力される。スキャナＳＣＲに装着された自動原稿供給装置ＡＤＦは、スキャナＳＣＲに対して原稿を給，排する。
【００２８】
プリンタコントローラ２０には、システムバス制御，画像メモリアクセス制御および画像メモリ２４からの作像を行う制御等を行う画像処理ＡＳＩＣ２２がある。スキャナＳＣＲの読取り画像デ−タは、ＡＳＩＣ２２に転送され、ＡＳＩＣ２２が、光学系及びディジタル信号への量子化に伴う信号劣化（スキャナ系の信号劣化：スキャナ特性による読取り画像デ−タの歪）を補正し、該画像デ−タを画像メモリに書込む。又は、ＡＳＩＣ２２内部のプリンタ出力のための処理系で出力画像データに変換して、エンジンＩ／Ｆ２８を介してプリンタＰＴＲに与える。
【００２９】
すなわち、ＡＳＩＣ２２には、読取り画像デ−タをメモリに蓄積して再利用するジョブと、メモリに蓄積しないで、プリンタＰＴＲに作像出力するジョブとがある。メモリ２４に蓄積する一例としては、１枚の原稿を複数枚複写する場合、スキャナＳＣＲを１回だけ動作させ、読取り画像デ−タをメモリ２４に蓄積し、蓄積データを複数回読み出す使い方がある。メモリ２４を使わない例としては、１枚の原稿を１枚だけ複写する場合、読取り画像デ−タをそのままプリンタ出力用に処理すれば良いので、メモリ２４への書込みを行う必要はない。
【００３０】
まず、メモリ２４を使わない場合、ＡＳＩＣ２２に於いてＣＣＤによる輝度データを面積階調に変換するための画質処理を行う。画質処理後の面積階調に変化された信号はプリンタＰＴＲに与えられ、プリンタＰＴＲ内において、画像メモリを介して書込み制御に与えられる。書込み制御は、ドット配置に関する後処理及びドットを再現するためのパルス制御を、作像ユニット３に対して行い、転写紙上に再生画像を形成する。
【００３１】
メモリ２４に蓄積する場合は、ＡＳＩＣ２２が、メモリ２４のアクセス制御，外部ホストＰＣａ．ＦＣＵのプリント用データの展開（文字コ−ド／キャラクタビット変換），メモリ有効活用のための画像データの圧縮を行う。データ圧縮後メモリ２４へ蓄積し、蓄積データを必要に応じて読み出す。読み出しデータは伸張し、本来の画像データに戻し、画質処理を行い、プリンタＰＴＲに出力する。すなわち、転写紙上に顕像（トナ−像）を形成する。
【００３２】
画像データの流れに於いて、ＡＳＩＣ２２のバス制御により、デジタル複写機の複合機能を実現する。複合機能の１つであるＦＡＸ送信機能は、スキャナＳＣＲの読取り画像データをＡＳＩＣ２２にて画像処理を実施し、ファクシミリユニットＦＣＵへ転送する。
【００３３】
各ジョブ、例えばコピー機能，ＦＡＸ送受信機能およびプリンタ出力機能において、スキャナＳＣＲ，ＡＳＩＣ２２，プリンタＰＴＲ及びファクシミリユニットＦＣＵへの共通バス使用権の割り振りを、ＡＳＩＣ２２が制御する。
【００３４】
次に、プリンタＰＴＲおよびプリンタコントローラ２０の省エネモードについて説明する。プリンタＰＴＲ内には、ＡＣ商用電源からＤＣ電源を生成する電源装置４１があり、ここで生成したＤＣ電源を、エンジンコントローラ４３，プリンタコントローラ２０およびエンジン負荷４２へ供給する。
【００３５】
ここで、電源装置４１で生成したＤＣ電源には、エンジンコントローラ４３にてＯＮ／ＯＦＦ制御可能な＋５Ｖ，±１２Ｖおよび＋２４Ｖと、図示しない元電源スイッチであるメインＳＷがＯＮであれば、常にＯＮ状態となる＋５ＶＥが存在し、＋５Ｖ，±１２Ｖおよび＋２４Ｖはエンジンコントローラ４３、エンジン負荷４２に、＋５ＶＥはエンジンコントローラ４３とプリンタコントローラ２０に供給されている。通常動作時すなわち動作モードでは、＋５Ｖ，±１２Ｖ，＋２４Ｖおよび＋５ＶＥすべてＯＮ状態であるが、省エネモード時には、エンジンコントローラ４３より、スイッチ４４をＯＦＦ（ＯＰＥＮ）とさせ、＋５Ｖ，±１２Ｖおよび＋２４Ｖの電源供給をストップさせ、プリンタコントローラ２０及びエンジンコントローラ４３の一部のみの、＋５ＶＥの電源供給としている。
【００３６】
電源装置４１からプリンタコントローラ２０に供給される電源＋５ＶＥは、プリンタコントローラ２０内の電源ＯＮ／ＯＦＦ部３２に引きこまれている。電源ＯＮ／ＯＦＦ部３２には、３個の電源ＯＮ／ＯＦＦリレー（以下では単に電源リレー）と、それぞれを個別にＯＮ／ＯＦＦするリレードライバがあり、電源ＯＮ／ＯＦＦコントローラ部３１が、各リレードライバに、ＯＮ（スイッチ閉）／ＯＦＦ（スイッチ開）指示信号を与える。３個の電源リレーのスイッチ接片はいずれも電源装置４１から電源＋５ＶＥが供給される給電線に接続されているが、３個の電源リレーのスイッチ接点には、それぞれに、給電線ＰＳ１，ＰＳ２及びＰＳ３が個別に接続されている。
【００３７】
給電線ＰＳ１はＣＰＵ２１および２２に給電する。電源装置４１に商用交流を給電するメインＳＷがＯＮになって、電源装置４１が電源＋５ＶＥを発生すると、電源ＯＮ／ＯＦＦ部３２内にある図示しない電源オンリセット回路がリセット信号を発生し、電源ＯＮ／ＯＦＦ部３２が自身をリセット（初期化）し、これにより、第１給電線ＰＳ１に接続した第１電源リレーのみをＯＮにする。これによってＣＰＵ２１，ＡＳＩＣ２２および電源ＯＮ／ＯＦＦコントローラ部３１に電源＋５ＶＥが加わり、それぞれが電源オンリセット動作をして、自身を初期化する。
【００３８】
自身の初期化を終えると、電源ＯＮ／ＯＦＦコントローラ部３１は、第１給電線ＰＳ１に通電する第１電源リレーのＯＮを指定し、第２給電線ＰＳ２および第３給電線ＰＳ３に通電する第２電源リレー及び第３電源リレーのＯＦＦを指定する信号を電源ＯＮ／ＯＦＦ部３２に与える。
【００３９】
自身の初期化を終えるとＣＰＵ２１は、電源ＯＮ／ＯＦＦコントローラ部３１およびＡＳＩＣ２２がレディを報知するのを待ち、両者３１，２２ともにレディになると、ＣＰＵ２１は、第１電源リレーのＯＮに加えて第３電源リレーのＯＮを指示する信号を、電源ＯＮ／ＯＦＦコントローラ部３１に与える。これに答えて電源ＯＮ／ＯＦＦコントローラ部３１が、第１電源リレーのＯＮを継続しかつ第３電源リレーをＯＦＦからＯＮに切換える。これにより、第１，３電源ラインＰＳ１，ＰＳ３に電源＋５ＶＥを印加し、第２電源ラインＰＳ２には印加しない「省エネモード」となる。
【００４０】
この省エネモードの時、操作パネルＩ／Ｆ２６および操作パネルＯＰＢには、操作パネルＯＰＢの「省エネモード／動作モード」切換えキーのオペレータ操作を検知しこれを表す信号をＡＳＩＣ２２に接続した制御信号線に与える回路要素、のみに電源＋５ＶＥが印加され、表示灯（発光ダイオード）や液晶パネルに通電する表示駆動系には給電がなく、その分電力消費が少ない。また、第２給電線ＰＳ２にも給電がないので、それらに接続された回路要素による電力消費もなく、その分電力消費が少ない。
【００４１】
ＩＥＥＥ１２８４通信Ｉ／Ｆ２９にホスト例えばファクシミリユニットＦＣＵからプリント命令あるいは着信通知が来ると、このコマンドがＡＳＩＣ２２に接続した制御信号線に与えられ、ＡＳＩＣ２２が印刷データ受信＆プリントアウトのタスク発生をＣＰＵ２１に報知する。ＣＰＵ２１はこれに応答して、第１，第３電源リレーのＯＮに加えて第２電源リレーのＯＮを指示する信号を、電源ＯＮ／ＯＦＦコントローラ部３１に与える。これに答えて電源ＯＮ／ＯＦＦコントローラ部３１が、第１，第３電源リレーのＯＮを継続しかつ第２電源リレーをＯＦＦからＯＮに切換える。これにより、第１，２および３電源ラインＰＳ１，ＰＳ２およびＰＳ３に電源＋５ＶＥを印加する「動作モード」となる。ＣＰＵ２１は更に、エンジンＩ／Ｆ２８を介してエンジンコントローラ４３に、プリント出力コマンドを与え、これに応答してエンジンコントローラ４３が、スイッチ４４を、「動作モード」の状態（大略で、全スイッチＯＮ）に切換える。
【００４２】
ホストが送信してくる印刷データは、ＡＳＩＣ２２でプリント出力用の画像データに変換され、圧縮されて画像メモリ２４に書き込まれる。画像メモリ２４のメモリ容量近くまで書込みが進むと、そこでホストからの印刷データ転送は停止される。プリンタＰＴＲがプリントレディになると、ＡＳＩＣ２２が画像メモリ２４のデータを読み出して伸長してエンジンＩ／Ｆ２８を介してエンジンコントローラ４３に出力する。画像メモリ２４に空きができると、ホストからの印刷データ転送が再開される。
【００４３】
このプリントタスクを終了するとＣＰＵ２１は、計時を開始し、外部入力がなく設定時間が経過すると、エンジンＩ／Ｆ２８を介してエンジンコントローラ４３に「省エネモード」への切換えを指示し、電源ＯＮ／ＯＦＦコントローラ部３１に、第２電源リレーのＯＦＦを指示する。これに応答してエンジンコントローラ４３はスイッチ４４をＯＦＦにし、電源ＯＮ／ＯＦＦコントローラ部３１が第２電源リレーをＯＦＦにする。これにより、プリンタＰＴＲ及びプリンタコントローラ２０ともに、電力消費が少ない「省エネモード」に切換わる。
【００４４】
ネットワーク通信Ｉ／Ｆ２９にホスト例えばパソコンＰＣａからプリント命令が来ると、このコマンドがＡＳＩＣ２２に接続した制御信号線に与えられ、ＡＳＩＣ２２が印刷データ受信＆プリントアウトのタスク発生をＣＰＵ２１に報知する。それ以降の動作は、上述の、ＩＥＥＥ１２８４通信Ｉ／Ｆに印刷コマンドが到来したときと同様である。
【００４５】
上述の「省エネモード」の時に、オペレータが操作パネルＯＰＢの、「省エネモード／動作モード」切換えキーを操作すると、操作パネルＩ／Ｆ２６がこれを表す信号をＡＳＩＣ２２に接続した制御信号線に与え、ＡＳＩＣ２２が操作パネル入力をＣＰＵ２１に報知する。ＣＰＵ２１は、これに応答して第２電源リレーＯＮを電源ＯＮ／ＯＦＦコントローラ部３１に指示すると共に、「動作モード」への切換えを、エンジンＩ／Ｆ２８を介してエンジンコントローラ４３に指示する。これによって、プリンタＰＴＲ及びプリンタコントローラ２０が「動作モード」になり、ＣＰＵ２１が操作パネルＩ／Ｆ２６を介して、操作パネルＯＰＢの入力とオペレータに対する対話型の表示を行う。表示電力は、第２給電線ＰＳ２が供給する。動作モードでは、スキャナＳＣＲ，ＡＤＦおよびファクシミリユニットＦＣＵの、電力消費が大きいアクチュエータおよび電気回路には、第４給電線ＰＳ４を通して、また、プリンタＰＴＲのスイッチ４４を通して、電源装置４１が給電する。
【００４６】
オペレータは、操作パネルＯＰＢを使用して、複写あるいはファクシミリ送信をすることができる。複写モードでは、原稿一枚に付き一枚のコピーの時には、ＡＳＩＣ２２が、スキャナＳＣＲが発生する画像データを画質補正を施してからプリント出力用の画像データに変換してプリンタＰＴＲに出力する。原稿一枚に付き複数枚のコピーの時には、ＡＳＩＣ２２は、スキャナＳＣＲが発生する画像データを画質補正を施してからプリント出力用の画像データに変換しそして圧縮して画像メモリ２４に書込み、それから一枚のプリントごとに画像メモリ２４〜画像データを読み出して伸長してプリンタＰＴＲに出力する。ファクシミリモードでは、ＡＳＩＣ２２は、スキャナＳＣＲが発生する画像データを画質補正を施してからファクシミリユニットＦＣＵに出力する。
【００４７】
これらの、「動作モード」のタスクが終了すると、ＣＰＵ２１は計時を開始し、それから新たなコマンドがなく、設定時間が経過すると、あるいは設定時間が経過するまでにオペレータが操作パネルＯＰＢの、「省エネモード／動作モード」切換えキーを操作すると、ＣＰＵ２１は、エンジンＩ／Ｆ２８を介してエンジンコントローラ４３に「省エネモード」への切換えを指示し、電源ＯＮ／ＯＦＦコントローラ部３１に、第２電源リレーのＯＦＦを指示する。これに応答してエンジンコントローラ４３はスイッチ４４をＯＦＦにし、電源ＯＮ／ＯＦＦコントローラ部３１が第２電源リレーをＯＦＦにする。これにより、プリンタＰＴＲ及びプリンタコントローラ２０ともに、電力消費が少ない「省エネモード」に切換わる。
【図面の簡単な説明】
【図１】  （ａ）は本発明の一実施例の外観を示す斜視図、（ｂ）は（ａ）に示すプリンタＰＴＲの機構骨子を示すブロック図である。
【図２】  図１の（ａ）に示す複合機能複写装置の、主に電力給電系統を示すブロック図である。
【符号の説明】
ＰＣａ，ＰＣｂ：パソコン  ＰＴＲ：カラープリンタ
ＯＰＢ：操作パネル        ＳＣＲ：原稿スキャナ
ＡＤＦ：自動原稿供給装置  ＰＢＸ：構内交換器
ＬＡＮ：ネットワーク      １：感光体
２：メインチャージャ      ３：レーザ走査器
４：現像装置              ５：転写チャージャ
６：転写ベルト            ７：レジストローラ
８：転写分離チャージャ    ９：搬送ベルト
１０：定着器              １１：ソータ
１２：クリーニング装置    １３：クリーニングブレード
１４：光センサ            １５：光センサ
１６：温度センサ          ４１：電源装置
ＰＳ１〜ＰＳ４：給電線    ＦＣＵ：ファクシミリユニット